(57)【要約】      （修正有）【課題】橋梁下や側溝等の暗渠における汚泥除去を効率的に行うことや、上流側から汚泥を押し出す場合に効率よく押し出すことができる角度調整機構付ジョレンを提供する。【解決手段】刃先３とこの刃先３を除く周囲に設けられた縁部４と刃先３に対向する位置の縁部４ａに設けられた軸部５とを有する板状部材２と、この板状部材２の中央領域部に設けられた突起部６と、一方の端部が突起部６に対して回動可能に取り付けられた棒状部材８と、一方の先端部に軸受け部９ａが設けられ、この軸受け部９ａと上述の軸部５とにより板状部材２に接続された柄９と、棒状部材８の他方の端部を柄９に固定し、かつ、その固定位置を可変可能とするために柄９に取り付けられた位置可変部材とを有し、位置可変部材が棒状部材８の他方の端部と接続する接続部を有し、柄９に対して摺動する摺動部材１２を用いた構成からなる。【選択図】図１
0003202601.tif 000002
【実用新案登録請求の範囲】
【請求項１】
刃先と前記刃先を除く周囲に設けられた縁部と前記刃先に対向する位置の前記縁部に設けられた軸部とを有する板状部材と、
前記板状部材の中央領域部に設けられた突起部と、
一方の端部が前記突起部に対して回動可能に取り付けられた棒状部材と、
一方の先端部に軸受け部が設けられ、前記軸受け部と前記軸部とにより前記板状部材に接続された柄と、
前記棒状部材の他方の端部を前記柄に固定し、かつ、その固定位置を可変可能とするために前記柄に取り付けられた位置可変部材とを有し、
前記位置可変部材により前記棒状部材の固定位置を可変することで前記板状部材と前記柄とがなす角度を可変することを特徴とする角度調整機構付ジョレン。
【請求項２】
前記位置可変部材は、前記棒状部材の前記他方の端部と接続する接続部を有し、前記柄に対して摺動する摺動部材からなり、前記摺動部材を前記柄の任意の位置で固定することにより、前記板状部材と前記柄とがなす角度を可変することを特徴とする請求項１に記載の角度調整機構付ジョレン。
【請求項３】
前記位置可変部材は、前記柄の前記軸受け部から所定位置に設けられた複数の固定部を有する固定部材からなり、前記棒状部材を複数の前記固定部の一つに固定することにより前記板状部材の前記柄に対する角度を可変することを特徴とする請求項１に記載の角度調整機構付ジョレン。
【考案の詳細な説明】
【技術分野】
【０００１】
本考案は溝掃除等に用いるジョレンに関する。
【背景技術】
【０００２】
用水路等において溝掃除作業を行う場合、ボックス構造となっている溝部分や橋梁等、人が入れない箇所も多い。こういった箇所においては、一部に設けられた開口部よりジョレンを挿入して底部にたまった汚泥を掻き寄せたり、上流側より押し出す方法がとられている。ジョレンとは、水が溜まった水路などから泥や砂を取り除く道具であり、汚泥のすくい上げが容易にできるように湾曲形状としたり、周囲に縁取りが付けられている。また、引き上げた際に水分が適当に除去できるよう、板状の部分には小穴やスリットが付いている。
しかし、ジョレンの先端部の刃先は、通常は柄に固定され、その刃先と柄との角度も鋭角で、あるため、汚泥を引き掻いて取り出すには効率的であるが、逆に押し出すようにして流し出す場合は不都合がある。
また、近年、刃先と柄の角度を変えられるジョレンも販売されているが、背の高さに応じた角度調整となっており、調整方法も角度が自由に変えられるものではなく、また、ねじで固定する方法であるため、作業中の角度変更が簡易に出来ないなどの課題を有する。
さらに、ジョレン兼用スコップも開示されている（特許文献1参照）。これは、スコップとジョレンとを兼用する構造であり、ショベルの柄付き部分をジョイント基盤として、複数の凹部と内部にネジ山を設けたボルト挿入孔を設け、別に設けた柄のショベル側に複数の凸部とボルトを設けて締め付けてスコップとして使用する。一方、ジョレンとして使用する場合には、ボルトを緩めてショベルを１８０度回転し、ショベル部分がＬ形になったところでボルトを締め付けて固定して使用する構造となっている。
【先行技術文献】
【特許文献】
【０００３】
【特許文献１】特開平１１−１４０８９９号公報
【考案の概要】
【考案が解決しようとする課題】
【０００４】
特許文献１記載のジョレン兼用スコップは、スコップとして使用するだけでなく、頭部の向きを変えることによりジョレンとしても使える構造になっている。しかし、ジョレンとして使うときに、ジョレンの柄に対する角度は固定されており可変できる構造とはなっていない。さらに、基本がスコップであるので柄の長さもジョレンとして使うためには短すぎる。このため、ジョレンとして使う場合には、作業員の背丈に合わせて刃先の角度を調整できないという課題や、橋梁下や側溝等の暗渠における汚泥除去が効率的に行いにくいという課題を有する。さらに、上流側から汚泥を押し出す場合、刃先の向きが逆方向となるため効率よく押し出せないという課題も有している。さらに、スコップとして使用することができるように頑丈な構造とすることが要求されるため、重くかつ高価格になるという課題を有している。
【課題を解決するための手段】
【０００５】
上記従来の課題を解決するため本考案に係る角度調整機構付ジョレンは、刃先とこの刃先を除く周囲に設けられた縁部と刃先に対向する位置の縁部に設けられた軸部とを有する板状部材と、この板状部材の中央領域部に設けられた突起部と、一方の端部が突起部に対して回動可能に取り付けられた棒状部材と、一方の先端部に軸受け部が設けられ、この軸受け部と上述の軸部とにより板状部材に接続された柄と、棒状部材の他方の端部を柄に固定し、かつ、その固定位置を可変可能とするために柄に取り付けられた位置可変部材とを有している。そして、位置可変部材により棒状部材の固定位置を可変することで板状部材と柄とがなす角度を可変することを特徴とする。
さらに、上記構成において、位置可変部材は棒状部材の他方の端部と接続する接続部を有し、柄に対して摺動する摺動部材からなるものであってもよい。
また、上記構成において、位置可変部材は柄の軸受け部から所定位置に設けられた複数の固定部を有する固定部材からなり、棒状部材を複数の固定部の一つに固定することにより板状部材の柄に対する角度を可変するものであってもよい。 
これにより、板状部材と柄とがなす角度を変化させることができるので、作業者が自由に角度を調整することができる。また、流水のある暗渠等で汚泥を掻き寄せる作業や、上流側から汚泥を押し出すような作業等の場合も容易に行うことができる。
【考案の効果】
【０００６】
本考案の角度調整機構付ジョレンは、板状部材と柄とがなす角度を自由に変えることにより作業員の任意で角度調整を容易に行うことができる。また、水路等の清掃作業において、暗渠部があっても角度を調整することで清掃を容易に行うことができる。さらに、上流側から汚泥を押し出す作業や、水路の溝から汚泥をすくい上げる作業も、板状部材の角度を調整すれば容易に行うことができる。
【図面の簡単な説明】
【０００７】
【図１】本考案の実施例１に基づく角度調整機構付ジョレンを説明するための斜視図である。
【図２】同実施例の角度調整機構付ジョレンの頭部の側面図である。
【図３】本考案の実施例１の変形例の角度調整ジョレンの図２におけるＡ―Ａ線に沿って切断した状態を示す断面図である。
【図４】本考案の実施例２に基づく角度調整機構付ジョレンを説明するための斜視図である。
【図５】同実施例の角度調整機構付ジョレンの頭部の側面図である。
【図６】本考案の実施例２の変形例の角度調整ジョレンの図５におけるＢ―Ｂ線に沿って切断した状態を示す断面図である。
【考案を実施するための形態】
【０００８】
本考案の角度調整機構付ジョレンは、刃先とこの刃先を除く周囲に設けられた縁部と刃先に対向する位置の縁部に設けられた軸部とを有する板状部材と、この板状部材の中央領域部に設けられた突起部と、一方の端部が突起部に対して回動可能に取り付けられた棒状部材と、一方の先端部に軸受け部が設けられ、この軸受け部と上述の軸部とにより板状部材に接続された柄と、棒状部材の他方の端部を柄に固定し、かつ、その固定位置を可変可能とするために柄に取り付けられた位置可変部材とを有している。
さらに、上記構成において、位置可変部材は棒状部材の他方の端部と接続する接続部を有し、柄に対して摺動する摺動部材からなるものであってもよい。また、上記構成において、位置可変部材は柄の軸受け部から所定位置に設けられた複数の固定部を有する固定部材からなり、棒状部材を複数の固定部の一つに固定することにより板状部材の柄に対する角度を可変するものであってもよい。 
【実施例１】
【０００９】
以下、本考案の実施例１にかかる角度調整機構付ジョレン１について図面を参照しながら詳細に説明する。図１は、本実施例の角度調整機構付ジョレン１を説明するための斜視図である。図２は、同実施例の角度調整機構付ジョレンの頭部の側面図である。以下、これらの図を基に本実施例の角度調整機構付ジョレンについて説明する。なお、図３は、同実施例の変形例の角度調整機構付ジョレンの図２におけるＡ―Ａ線に沿って切断した状態を示す断面図であり、図１及び図２と同じ構成要素については同じ符号を付している。
本実施例の角度調整機構付ジョレン１は、刃先３とこの刃先３を除く周囲に設けられた縁部４と刃先３に対向する位置の縁部４ａに設けられた軸部５とを有する板状部材２と、この板状部材２の中央領域部に設けられた突起部６と、一方の端部が突起部６に対して回動可能に取り付けられた棒状部材８と、一方の先端部に軸受け部９ａが設けられ、この軸受け部９ａと上述の軸部５とにより板状部材２に接続された柄９と、棒状部材８の他方の端部を柄８に固定し、かつ、その固定位置を可変可能とするために柄８に取り付けられた位置可変部材とを有している。
さらに、本実施例では、位置可変部材として棒状部材８の他方の端部と接続する接続部１１を有し、柄９に対して摺動する摺動部材１２を用いている。
なお、板状部材２には、水等が混ざったゴミをかき寄せるときに、水等の液体を排出するための孔７を設けてある。
以下、より詳細に本実施例の角度調整機構付ジョレンとその角度調整方法を説明する。図１及び図２から分かるように、板状部材２は略長方形状であり、その一辺に刃３が設けられ、それ以外の三辺には縁部４が設けられている。さらに、刃３に対向する位置の縁部４ａには、一部が切り掛かれ、その領域部に軸部５が設けられている。また、板状部材２の中央領域部に突起部６も設けられている。この突起部６には軸部６ａが設けられており、棒状部材８の一方の端部には軸受け部８ａが形成され、棒状部材８は突起部６に対して回動可能に取り付けられている。
柄９は、一方の先端部に設けられた軸受け部９ａが板状部材の軸部５と連結され、板状部材２と柄９とは自由に回動できる。そして、本実施例では、円筒状の摺動部材１２が柄９の外表面を摺動可能に取り付けられている。また、この摺動部材１２には、棒状部材８の他方の端部と接続する接続部１１が設けられている。
このような構成による角度調整方法を以下に説明する。接続部１１に設けられた貫通孔に挿入されたボルト１０と、このボルト１０を締め付けるナット１０ａを緩めれば、摺動部材１２と柄９との隙間が生じるので、柄９の適当な位置まで摺動部材１２を摺動させれば、柄９と板状部材２とのなす角度を任意に設定できる。角度の設定ができたら、ナット１０ａを締め付けることで摺動部材１２は柄９にしっかりと固定される。この状態で必要な作業を行い、さらに作業内容によっては上記と同じ手順を踏むことにより角度を任意に調節することができる。なお、本実施例では、ボルト１１には座金１０ｂも取り付けてあり、激しい作業によってもナット１０ａが緩まないようにしているが、ナット１０ａをきつく締め付けることができれば座金１０ｂは取り付けなくてもよい。
なお、本実施例では、突起部６に軸部６ａを設け、棒状部材８に軸受け部８ａを設けた構成としているが、この構造に限定されるものではない。棒状部材８の回動が可能な構造であれば、種々の構造を選択することができる。
また、摺動部材１２と柄９とを固定する方法については、本実施例の構造に限定されるものではなく、例えばワイヤーバンド等を用いてもよい。
図３は、本実施例の変形例の角度調整機構付ジョレン２０を説明するための図である。この変形例の角度調整機構付ジョレン２０が、実施例１の角度調整機構付ジョレン１と異なる点は、板状部材２の軸部１６の構造にある。すなわち、図３から分かるように、変形例の角度調整機構付ジョレン２０は、板状部材２の縁部４ａ側の板状部材２の面上に軸部１６を固定するための取り付け部１７を設けて固定している。この場合に板状部材２の一部を切り掻き、略Ｕ字形状の軸部１６を切り掻き部上に配置するように固定している。そして、柄１５には、その先端部側に軸受け部１５ａを設け、軸受け部１５ａが軸部１６に挿通されて回動可能な構造としている。
このような構造とすることにより、柄１５と板状部材２との調整角度範囲をより大きくすることができる。
なお、本考案は上記実施例１及び変形例の角度調整機構付ジョレンなどに限定されるものではなく、本考案の構成に従う限り種々の変形例をとることができる。
【実施例２】
【００１０】
本考案の実施例２にかかる角度調整ジョレン２１について、図面を参照しながら説明する。図４は、本実施例の角度調整機構付ジョレン２１を説明するための斜視図である。図５は、同実施例の角度調整機構付ジョレン２１の頭部の側面図である。図６は、同実施例の変形例の角度調整ジョレンの図５におけるＢ−Ｂ線に沿って切断した状態を示す断面図である。
本実施例の角度調整機構付ジョレン２１は、実施例１の角度調整機構付ジョレン１と基本形態は同じであるので、異なる部分を主体に本実施例の角度調整機構付ジョレン２１の構成を説明する。
図５から分かるように、本実施例においては、実施例１の場合と異なり円筒状の柄１９を用いている。なお、柄１９の軸受け部１９ａは同じ構造である。本実施例では、位置可変部材として柄１９の軸受け部１９ａから所定位置に設けられた複数の固定部１４を有する固定部材１３からなる。そして、棒状部材８を複数の固定部１４の一つに固定すれば、板状部材２と柄１９とのなす角度を可変することができる。なお、固定部材１３は柄１９に固定されている。棒状部材８の端部を固定部１４に固定する方法としては、例えば棒状部材の端部にピンを設け、これを固定部１４に貫通させた後、ボルト１０とナット１０ａとにより締め付け固定することができる。
以上のような構成からなる本実施例の角度調整機構付ジョレン２１は、板状部材２の角度を幅広く可変することができることが特徴である。すなわち、角度を小さくして暗渠などにおいても容易に掻き出すこともできるし、或いは角度を９０度以上にすることにより、押して掻き出すことも可能である。
【産業上の利用可能性】
【００１１】
本考案は、ボックス構造となっている溝や橋梁あるいは暗渠などのゴミの掻き出しが困難な箇所においても効率よく作業をすることができ、溝掃除等の分野において有用である。
【符号の説明】
【００１２】
１、２０、２１  角度調整機構付ジョレン
２  板状部材
３  刃先
４、４ａ  縁部
５、１６  軸部
６  突起部
６ａ  軸受け
７  孔
８  棒状部材
８ａ  軸
８ｂ  ピン孔
８ｃ  棒状部材ピン
９、１５、１９  柄
９ａ、１５ａ、１９ａ  軸受け部
１０  ピン
１０a  蝶ネジ
１０b  座金
１１  移動固定部
１２  移動部材
１３  リブ状部材
１４  リブ固定部
１７  取り付け部
【図１】
0003202601.tif 000003
【図２】
0003202601.tif 000004
【図３】
0003202601.tif 000005
【図４】
0003202601.tif 000006
【図５】
0003202601.tif 000007
【図６】
0003202601.tif 000008